(57)【要約】【課題】１階の土間コンクリートとその周囲とを確実に断熱できる木造建物の断熱構造を提供する。【解決手段】１階の土間床３０を構成する土間コンクリート３１の側部に断熱層３３，３４が設けられ、この断熱層３３，３４が前記土間コンクリート３１より下方に延出している。土間コンクリート３１に隣接して当該土間コンクリート３１より高い基礎立上り部２，２が設けられ、この基礎立上り部２，２に前記断熱層３３，３４が設けられている。したがって、１階の土間コンクリート３１とその周囲とを確実に断熱できる。【選択図】図６
2012246720.tif 000002
【特許請求の範囲】
【請求項１】
木造建物の断熱構造であって、
１階の土間床を構成する土間コンクリートの側部に断熱層が設けられており、
この断熱層が前記土間コンクリートより下方に延出していることを特徴とする木造建物の断熱構造。
【請求項２】
請求項１に記載の木造建物の断熱構造において、
前記土間コンクリートに隣接して当該土間コンクリートより高い基礎立上り部が設けられており、
この基礎立上り部に前記断熱層が設けられていることを特徴とする木造建物の断熱構造。
【請求項３】
請求項２に記載の木造建物の断熱構造において、
前記基礎立上り部に１階の床が設置され、この床の床下空間に面する前記基礎立上り部の外面に前記断熱層が設けられ、前記床の下面に床断熱層が設けられていることを特徴とする木造建物の断熱構造。
【請求項４】
請求項２または３に記載の木造建物の断熱構造において、
前記基礎立上り部に１階の外壁が設けられ、この外壁が設けられた基礎立上り部の内面に前記断熱層が設けられ、前記外壁に壁断熱層が設けられていることを特徴とする木造建物の断熱構造。
【請求項５】
請求項４に記載の木造建物の断熱構造において、
前記１階の外壁の上端部から２階の床が突出しており、
この突出している２階の床の下面に床断熱層が設けられていることを特徴とする木造建物の断熱構造。
【請求項６】
請求項１〜５のいずれか一項に記載の木造建物の断熱構造において、
外気に面する前記木造建物の部分に、それぞれ断熱層が設けられており、これら断熱層による前記木造建物の断熱性を示す熱損失係数（Ｑ値）が２．７W/m2K以下に設定されていることを特徴とする木造建物の断熱構造。
【発明の詳細な説明】
【技術分野】
【０００１】
本発明は、木造建物の断熱構造に関する。
【背景技術】
【０００２】
木造建物の断熱構造の一例として特許文献１に記載のものが知られている。この木造建物の断熱構造では、基礎の外側を、板状の断熱材からなる基礎用断熱材で覆うとともに、この基礎用断熱材の下側の一部を、地盤面より下に埋設するようにしている。
【先行技術文献】
【特許文献】
【０００３】
【特許文献１】実用新案登録第３１００５６３号公報
【発明の概要】
【発明が解決しようとする課題】
【０００４】
ところで、前記従来の木造建物の断熱構造では、基礎の外側を、板状の断熱材からなる基礎用断熱材で覆うようにしているが、建物の１階に土間床を構成する土間コンクリートを設けた場合に、この土間コンクリートとその周囲との断熱をどのようにして行うかについては何ら開示されていない。
【０００５】
本発明は上記事情に鑑みてなされたもので、１階の土間コンクリートとその周囲とを確実に断熱できる木造建物の断熱構造を提供することを課題としている。
【課題を解決するための手段】
【０００６】
上記課題を解決するために、請求項１に記載の発明は、例えば図１および図６に示すように、木造建物の断熱構造であって、
１階の土間床３０を構成する土間コンクリート３１の側部に断熱層３３，３４が設けられており、
この断熱層３３，３４が前記土間コンクリート３１より下方に延出していることを特徴とする。
【０００７】
請求項１に記載の発明によれば、１階の土間コンクリート３１の側部に設けられた断熱層３３，３４が土間コンクリート３１より下方に延出しているので、１階の土間コンクリート３１とその周囲とを確実に断熱できる。
【０００８】
請求項２に記載の発明は、請求項１に記載の木造建物の断熱構造において、
前記土間コンクリート３１に隣接して当該土間コンクリート３１より高い基礎立上り部２，２が設けられており、
この基礎立上り部２，２に前記断熱層３３，３４が設けられていることを特徴とする。
【０００９】
請求項２に記載の発明によれば、基礎立上り部２，２に断熱層３３，３４が設けられているので、断熱層３３，３４を土間コンクリート３１の側部に容易に設けることができ、さらに、基礎立上り部２，２の断熱を容易に行える。
【００１０】
請求項３に記載の発明は、請求項２に記載の木造建物の断熱構造において、
前記基礎立上り部２に１階の床４が設置され、この床４の床下空間４ａに面する前記基礎立上り部２の外面に前記断熱層３３が設けられ、前記床４の下面に床断熱層７が設けられていることを特徴とする。
【００１１】
請求項３に記載の発明によれば、基礎立上り部２の外面に設けられた断熱層３３と、床の下面に設けられた床断熱層７とによって、床下空間４ａと、土間を含む１階との断熱を確実に行うことができる。
【００１２】
請求項４に記載の発明は、請求項２または３に記載の木造建物の断熱構造において、
前記基礎立上り部２に１階の外壁４０が設けられ、この外壁４０が設けられた基礎立上り部２の内面に前記断熱層３４が設けられ、前記外壁４０に壁断熱層１３が設けられていることを特徴とする。
【００１３】
請求項４に記載の発明によれば、基礎立上り部２の内面に設けられた断熱層３４と１階の外壁４０に設けられた壁断熱層１３とによって、外部と土間との断熱を確実に行うことができる。
【００１４】
請求項５に記載の発明は、請求項４に記載の木造建物の断熱構造において、
前記１階の外壁４０の上端部から２階の床１６が突出しており、
この突出している２階の床１６ａの下面に床断熱層４１が設けられていることを特徴とする。
【００１５】
請求項５に記載の発明によれば、突出している２階の床１６ａの下面に設けられた床断熱層４１によって、この床上の２階の部屋と外部との断熱を確実に行うことができる。
【００１６】
請求項６に記載の発明は、請求項１〜５のいずれか一項に記載の木造建物の断熱構造において、
外気に面する前記木造建物の部分に、それぞれ断熱層が設けられており、これら断熱層による前記木造建物の断熱性を示す熱損失係数（Ｑ値）が２．７W/m2K以下に設定されていることを特徴とする。
ここで、前記断熱層としては、例えば、床断熱層７、壁断熱層１３，４４、天井断熱層２０、勾配天井断熱層２４、床断熱層４１、基礎断熱層３３，３４が挙げられる。
【００１７】
請求項６に記載の発明によれば、断熱層による木造建物の断熱性を示す熱損失係数（Ｑ値）が２．７W/m2Kに設定されているので、高断熱の木造建物を提供できる。
【発明の効果】
【００１８】
本発明によれば、１階の土間コンクリートの側部に断熱層が設けられており、この断熱層が前記土間コンクリートより下方に延出しているので、１階の土間コンクリートとその周囲とを確実に断熱できる。
【図面の簡単な説明】
【００１９】
【図１】本発明に係る断熱構造を備えた木造建物の概略を示すもので、その側断面図である。
【図２】同、図１におけるＡ円部の拡大図である。
【図３】同、図１におけるＢ円部の拡大図である。
【図４】同、図１におけるＣ円部の拡大図である。
【図５】同、図１におけるＤ円部の拡大図である。
【図６】同、図１における土間部分の拡大図である。
【図７】同、図１におけるＥ円部の拡大図である。
【図８】同、１階内部柱脚部分を示すもので、（ａ）は斜視図、（ｂ）は正断面図、（ｃ）は平断面図である。
【発明を実施するための形態】
【００２０】
以下、図面を参照して本発明に係る木造建物の断熱構造の一例について説明する。
図１は、本発明に係る断熱構造を備えた木造建物の概略を示す側断面図である。この木造建物は、在来の軸組工法によって構築されたものである。そして、柱、梁、土台、大引等を構成する軸組部材は、それぞれ集成材によって形成されている。集成材とは、木材又は異種材からなる単材を複数集成してなるものである。
【００２１】
図１および図２に示すように、基礎１の基礎立上り部２の上端面には、換気台輪３が設置されており、この換気台輪３に１階の床４の端部が設置されている。１階の床４は、前記換気台輪３に設置された土台５と、この土台５に固定された図示しない大引や根太と、これらの上面に敷設された合板等からなる床板材６とによって構成されている。床４の床板材６の下面には、床断熱層７が設けられている。この床断熱層７は、ポリスチレンフォームで形成された断熱材７によって構成されている。
【００２２】
前記土台５上には１階の外壁１０が立設されている。この外壁１０は、図３に示すように、外壁本体１１と、この外壁本体１１の表面に取り付けられた外装材１２とから構成されている。
外壁本体１１には壁断熱層１３が設けられている。すなわち、外壁本体１１は、土台５に立設された複数の柱および間柱と、これら柱および間柱の外側を向く面に取り付けられた合板１１ａと、柱および間柱の内側を向く面に取り付けられた石膏ボード１１ｂとを備えており、合板１１ａと石膏ボード１１ｂとの間に、グラスファイバーで形成された断熱材１３が設けられ、この断熱材１３が壁断熱層１３を構成している。
なお、外壁本体１１には継目受材１４が設けられており、この継目受材１４に上下に隣接する石膏ボード１１ｂ，１１ｂの下端部と上端部とが突き合わせられた状態で固定されている。
外装材１２は胴縁１２ａを介して前記合板１１ａに取り付けられおり、合板１１ａと外装材１２との間には胴縁１２ａの厚さ分に相当する隙間が設けられている。
【００２３】
１階の外壁１０の外壁本体１１の上端部には胴差１５が設置されている。この胴差１５は集成材によって形成されたものである。胴差１５には図示しない床梁が固定され、さらに、これらの上面に床板材６が敷設されることによって、２階の床１６が構成されている。２階の床１６の下方には、１階の天井１７が設けられており、この天井１７の裏面（上面）に、グラスウール等で形成された遮音材１７ａが設けられている。
【００２４】
前記胴差１５上には２階の外壁１０が立設されている。この外壁１０は、図４に示すように、外壁本体１１と、この外壁本体１１の表面に取り付けられた外装材１２とから構成され、１階の外壁１０と同様の構成となっている。
２階の外壁１０の上端部には２階の天井１８が設けられており、この天井の裏面（上面）には、天井断熱層２０が設けられている。この天井断熱層２０は、グラスウール等で形成された断熱材２０によって構成されている。天井１８は天井野縁１８ａとこの天井野縁１８ａの下面に取り付けられた天井材１８ｂとを備え、天井材１８ｂと天井野縁１８ａとの間に気密シート１８ｃが設けられている。
なお、外壁本体１１には継目受材１４が設けられており、この継目受材１４に上下に隣接する石膏ボード１１ｂ，１１ｂの下端部と上端部とが突き合わせられた状態で固定されている。
【００２５】
屋根２１は切妻屋根となっており、棟部から一方の軒先部までの長さが、棟部から他方の軒先部までの長さが短くなっている。
図４に示すように、屋根２１の一方の軒先部には、軒天井２２が設けられており、この軒天井２２に設けられた換気孔２２ａによって小屋裏の換気を行えるようになっている。
図５に示すように、屋根２１の他方の軒先部にも、軒天井２２が設けられており、この軒天井２２に設けられた換気孔２２ａによって小屋裏の換気を行えるようになっている。
屋根２１の他方の軒先部に隣接する屋根２１の一部の裏側には、小屋裏がなく、勾配天井２３が設けられている。この勾配天井２３の裏面には、勾配天井断熱層２４が設けられている。この勾配天井断熱層２４は、グラスウール等で形成された断熱材２４によって構成されている。そして、勾配天井断熱層２４は２階の天井１８の裏面に設けられた天井断熱層２０と連続している。
【００２６】
図１および図６に示すように、１階には土間床３０を構成する土間コンクリート３１が設けられている。この土間コンクリート３１は、１階の床４より一段低い位置に設けられており、土間コンクリート３１の下方には割栗石３２が敷き詰められている。
土間コンクリート３１の側方には、基礎１の基礎立上り部２，２が設けられており、基礎立上り部２，２は土間コンクリート３１より高くなっている。基礎１は布基礎であり、平面視において建物の外周に沿って延在して形成されている。基礎１の下には割栗石３２が敷き詰められており、基礎１の内側の土間コンクリート３１を形成すべき部分には、割栗石３２が高く敷き詰められ、この割栗石３２の上面に前記土間コンクリート３１が施工されている。
【００２７】
前記土間コンクリート３１の側部には、基礎断熱層（断熱層）３３，３４が土間コンクリート３１より下方に延出して設けられている。
すなわち、図６に示す左側の基礎立上り部２に、１階の床４の端部が気密台輪３５を介して設置され、この床４の床下空間４ａに面する基礎立上り部２の外面に基礎断熱層３３が設けられている。この基礎断熱層３３はポリスチレンフォームで形成された断熱材３３によって構成され、基礎立上り部２の下端から上端までの高さを有している。
また、前記基礎立上り部２に設置された１階の床４の床板材６の下面には、床断熱層７が設けられている。
したがって、床下空間４ａに面して、基礎断熱層３３、気密台輪３５、床断熱層７が連続しており、これによって、建物内と床下空間４ａとの断熱が行われている。
【００２８】
また、図６に示す右側の基礎立上り部２の内面に前記基礎断熱層３４が設けられている。この基礎断熱層３４はポリスチレンフォームで形成された断熱材３４によって構成され、基礎立上り部２の下端から上端までの高さを有している。また、基礎断熱層３４は基礎断熱層３３より厚くなっている。
また、右側の基礎立上り部２には、１階の外壁４０が立設されている。この外壁４０は、外壁本体１１と、この外壁本体１１の表面に取り付けられた外装材１２とから構成され、１階の外壁１０と同様の構成となっている。
また、外壁４０には壁断熱層１３が設けられている。すなわち、外壁本体１１を構成する合板１１ａと石膏ボード１１ｂとの間にはグラスファイバーで形成された断熱材１３が設けられ、この断熱材１３が壁断熱層１３を構成している。
【００２９】
図１および図７に示すように、前記１階の外壁４０の上端部から前記２階の床１６が突出している。この突出している床１６ａの下面には床断熱層４１が設けられている。この床断熱層４１はグラスウール等で形成された断熱材４１によって構成されている。床１６ａの下方には外部天井４２が２階の天井１８と等しい高さに設けられており、この外部天井４２に設けられた換気孔４２ａによって外部天裏の換気を行えるようになっている。
外部天井４２の下方は駐車場となっており、前記外壁４０に面している。
【００３０】
また、突出している床１６ａの端部には、外壁４３が立設されている。この外壁４３は、外壁本体１１と、この外壁本体１１の表面に取り付けられた外装材１２とから構成され、１階の外壁４０と同様の構成となっている。
また、外壁４３には壁断熱層４４が設けられている。すなわち、外壁本体１１を構成する合板１１ａと石膏ボード１１ｂとの間にはグラスファイバーで形成された断熱材４４が設けられ、この断熱材４４が壁断熱層４４を構成している。
外壁４３の上端部には、図１および図５に示すように、前記屋根２１の他方の軒先部が設定されている。
【００３１】
また、図８に示すように、１階の内部柱４５と１階の床４の合板等で形成された床板材６との接する部分は、土台５と大引４６との交点部分に隙間が生じるため、この隙間に発泡ウレタン等からなる気密材４７を充填することによって、気密性を確保する。
【００３２】
上記のような木造建物は、外気に面する部分に、それぞれ上記のような断熱層（床断熱層７、壁断熱層１３，４４、天井断熱層２０、勾配天井断熱層２４、床断熱層４１、基礎断熱層３３，３４）が設けられ、これら断熱層によって囲まれており、木造建物の断熱性を示す熱損失係数（Ｑ値＝建物から逃げる熱量（W/K）/建物の延べ床面積（m2））が２．７W/m2K以下に設定されている。したがって、外部（外気）と建物内とを確実に断熱することができ、高断熱の建物となる。
【００３３】
熱損失係数（Ｑ値）は、住まいの断熱性能を示す値で、取り込んだエネルギーをいかに失わないかを表した数値であり、具体的には室内外の温度差が１℃のとき、家（木造建物）全体から１時間に床面積１ｍ2あたりに逃げ出す熱量のことを示し、Ｑ値が小さければ小さいほど、住宅の断熱性が高くなる。なお、図１において、ハッチングで示す部分が各断熱層を模式的に示している。
また、屋根２１に断熱層を設けずに、２階の天井１８に天井断熱層２０を設けたので、小屋裏を外気によって容易に換気できるとともに、屋根２１に断熱層を設ける場合に比べて、断熱層の長さを短くでき、コスト低減を図ることができる。
【００３４】
また、１階の土間コンクリート３１の側部に設けられた基礎断熱層３３，３４が土間コンクリート３１より下方に延出しているので、１階の土間コンクリート３１とその周囲とを確実に断熱できる。
さらに、土間コンクリートに隣接している基礎立上り部２に基礎断熱層３３，３４が設けられているので、基礎断熱層３３，３４を土間コンクリート３１の側部に容易に設けることができ、さらに、基礎立上り部２の断熱を容易に行える。
【００３５】
加えて、基礎立上り部２に１階の床４が設置され、この床４の床下空間４ａに面する基礎立上り部２の外面に基礎断熱層３３が設けられ、床４の下面に床断熱層７が設けられているので、これら基礎断熱層３３と床断熱層７とによって、床下空間４ａと、土間を含む１階との断熱を確実に行うことができる。
また、基礎立上り部２に１階の外壁４０が設けられ、この外壁４０が設けられた基礎立上り部２の内面に基礎断熱層３４が設けられ、外壁４０に壁断熱層１３が設けられているので、これら基礎断熱層３４と壁断熱層１３とによって、外部と土間との断熱を確実に行うことができる。
また、１階の外壁４０の上端部から２階の床１６が突出しており、この突出している２階の床１６ａの下面に床断熱層４１が設けられているので、床断熱層４１によって、床１６ａ上の２階の部屋と外部との断熱を確実に行うことができる。
【符号の説明】
【００３６】
２  基礎立上り部
４  １階の床
４ａ  床下空間
７  床断熱層
１３  壁断熱層
１６  ２階の床
３０  土間床
３１  土間コンクリート
３３，３４  基礎断熱層（断熱層）
４０  １階の外壁
４１  床断熱層
【図１】
2012246720.tif 000003
【図２】
2012246720.tif 000004
【図３】
2012246720.tif 000005
【図４】
2012246720.tif 000006
【図５】
2012246720.tif 000007
【図６】
2012246720.tif 000008
【図７】
2012246720.tif 000009
【図８】
2012246720.tif 000010